(57)【要約】【課題】高圧供給端子に、ほこりの付着するのを防止できるとともに、手指の接触を防止して安全性を高めることのできる電気集塵機を提供すること。【解決手段】空気調和機等の空気流路に設けられる保持ユニット１の一端部に設けられる高圧印加装置２に接続された高圧供給端子３を内含する前面が開口４した略逆凹形状の接点保持部５と、保持ユニット１に装着されるフィルタユニット８とを設け、接点保護部５に挿脱可能に嵌入する高圧受給端子６付きのスライド突起７をフィルタユニット８に設け、保持ユニット１に着脱自在に装着されることにより、高圧供給端子にほこりが付着するのを防止するとともに、安全性を高めることができる電気集塵ユニットを提供する。【選択図】  図１
2005024189.tif 000002
【特許請求の範囲】
【請求項１】
空気調和機等の空気流路に設けられる横長の保持ユニットと、この保持ユニットの一端部に設けられる高圧印加装置と、この高圧印加装置に接続された高圧供給端子を内含する前面が開口した略逆凹形状の接点保護部と、前記保持ユニットに装着されるフィルタユニットとを備え、前記接点保護部に挿脱可能に嵌入する高圧受給端子付きのスライド突起を前記フィルタユニットに設け、前記保持ユニットに着脱自在に装着される構成とした電気集塵ユニット。
【請求項２】
保持ユニットまたは高圧印加装置にフィルタユニットの引出方向に平行に設けられる規制リブと、この規制リブかが挿入される溝部を設けたフィルタユニットとを備え、前記フィルタユニットに設けられる溝部をフィルタユニットの略中央部にまで至るように形成した請求項１記載の電気集塵ユニット。
【請求項３】
フィルタユニットの高圧受給端子の設けられる反対側端部に、フィルタユニットの引出し操作時に保持ユニットに一時的に係止される係止手段を設けた請求項２記載の電気集塵ユニット。
【請求項４】
フィルタユニットに設けられる取手を高圧受給端子側に偏位させた請求項１記載の電気集塵ユニット。
【発明の詳細な説明】
【０００１】
【発明の属する技術分野】
本発明は、空気調和機等の空気流路に設けられ、空気中に含まれる粉塵等を除去する電気集塵ユニットに関するものである。
【０００２】
【従来の技術】
従来、この種の電気集塵ユニットとして空気調和機の空気流路に設けられる電気空気清浄装置が知られている（例えば、特許文献１参照）。
【０００３】
以下、その電気空気清浄装置について図７〜図９を参照しながら説明する。
【０００４】
図に示すように、保持枠１０１と、保持枠１０１の端部に配設された高圧電源部１０２と、高圧電源部１０２からの高圧端子１０３およびアース端子１０４とを具備し、高圧端子１０３とアース端子１０４との接点部１０５を持つ取り外し自在なフィルタ本体１０６を有し、高圧端子１０３とアース端子１０４のうち少なくとも１つの端子にコイルばね１０７または板ばね１０８を設け、高圧電源部１０２とフィルタ本体１０６の挿入部との仕切壁１０９より弾力性を持つ端子１０３、１０４の先端を突出させるように保持枠１０１に配設していた。
【０００５】
また、高圧電源部１０２の反対側の保持枠１０１にフィルタ本体１０６を挟み込み、保持する壁１１０を設け、フィルタ本体１０６を取り付けるときには、接点部１０５とは反対側の側面に設けられた凸部１１１を保持枠１０１の壁１１０に設けられた凹部１１２に係合させフィルタ本体１０６を仕切壁１０９と壁１１０の間に取り付けるように構成していた。
【０００６】
【特許文献１】
特開２００３−１０６５５２号公報（［００１６］、図１、図２、図４）
【０００７】
【発明が解決しようとする課題】
しかしながら、上記従来の構成では、高圧電源部１０２に接続された高圧端子１０３にほこりが付着しやすく、また、手指が接触するという危険性を有する課題があった。
【０００８】
また、フィルタ本体１０６は仕切壁１０９と壁１１０との間に取り付けられていたが、フィルタ本体１０６の着脱時に、フィルタ本体１０６が横長形状であるためこじれて着脱が容易にできないという課題があった。
【０００９】
本発明は、上記従来の課題を解決するもので高圧印加装置に設けた高圧供給端子に、ほこりの付着するのを防止できるとともに、手指が接触しないように安全性を高めることができ、また、フィルタユニットの着脱時のこじれをなくして着脱の容易な電気集塵ユニットを提供することを目的としている。
【００１０】
【課題を解決するための手段】
上記従来の課題を解決するために、本発明の電気集塵ユニットは、空気調和機等の空気流路に設けられる横長の保持ユニットと、この保持ユニットの一端部に設けられる高圧印加装置と、この高圧印加装置に接続された高圧供給端子を内含する前面が開口した略逆凹形状の接点保護部と、前記保持ユニットに装着されるフィルタユニットとを備え、前記接点保護部に挿脱可能に嵌入する高圧受給端子付きのスライド突起を前記フィルタユニットに設け、前記保持ユニットに着脱自在に装着される構成としたものである。
【００１１】
また、保持ユニットまたは高圧印加装置に、フィルタユニットの引出し方向に平行に設けられる規制リブと、この規制リブが挿入される溝部を設けたフィルタユニットとを備え、前記フィルタユニットに設けられる溝部をフィルタユニットの略中央部にまで至るように形成したものである。
【００１２】
また、フィルタユニットの高圧受給端子の設けられる反対側端部に、フィルタユニットの引出し操作時に保持ユニットに一時的に係止される係止手段を設けたものである。
【００１３】
また、フィルタユニットに設けられる取手と高圧受給端子側に偏位させ構成したものである。
【００１４】
【発明の実施の形態】
請求項１に記載の発明は、空気調和機等の空気流路に設けられる横長の保持ユニットと、この保持ユニットの一端部に設けられる高圧印加装置と、この高圧印加装置に接続された高圧供給端子を内含する前面が開口した略逆凹形状の接点保護部と、前記保持ユニットに装着されるフィルタユニットとを備え、前記接点保護部に挿脱可能に嵌入する高圧受給端子付きのスライド突起を前記フィルタユニットに設け、前記保持ユニットに着脱自在に装着される構成としたことにより、高圧供給端子が逆凹形状から外部に突出することがなくなり、高圧供給端子は接点保護部で覆われ高圧供給端子にほこりが付着することがなくなり、ほこりが付着して接触不良や、漏電等を生じることが防止でき、また、高圧供給端子に手指が接触することが回避され、安全性を高めることができ、また、リミットスイッチ等を設けて高圧を印加する場合と比較して構造が簡単でコストダウンを図ることができる。
【００１５】
請求項２に記載の発明は、保持ユニットまたは高圧印加装置に、フィルタユニットの引出方向に平行に設けられる規制リブと、この規制リブが挿入される溝部を設けたフィルタユニットとを備え、前記フィルタユニットに設けられる溝部をフィルタユニットの略中央部にまで至るように形成したことにより、フィルタユニットを保持ユニットから引き出すときに、保持ユニットの一端部と高圧印加装置間を略平行にフィルタユニットの溝部を規制リブに沿わせ途中まで移動することができることとなり、フィルタユニットはこじれることなく引き出され、こじれて引き出せなくなる現象をなくすことができる。
【００１６】
請求項３に記載の発明は、フィルタユニットの高圧受給端子の設けられる反対側端部に、フィルタユニットの引き出し操作時に保持ユニットに一時的に係止される係止手段を設けたことにより、保持ユニットに対するフィルタユニットの結合力の強い高圧供給端子側が先に外れるように結合力の弱い他方を一時的に係止手段で係止し、先に外れないようにして、フィルタユニットがこじれることなく引き出されるようにしてフィルタユニットの引き出しを容易とすることができる。
【００１７】
請求項４に記載の発明は、フィルタユニットに設けられる取手を高圧受給端子側に偏位させたことにより、取手による引出力は保持ユニットに対するフィルタユニットの結合力の強い高圧受給端子側に強く加わるようになり、結合力の弱い他方と略同時に引き出され、フィルタユニットはこじれることなく引き出され、引き出しが容易となる。
【００１８】
以下、本発明の実施例について図面を参照しながら説明する。
【００１９】
【実施例】
（実施例１）
図１〜図５に示すように、空気調和機（図示せず）等の空気流路に設けられる横長の保持ユニット１の一端部に高圧印加装置２を設け、高圧印加装置２に接続された板ばね状の高圧供給端子３を、高圧供給端子３を内含する形状で前面が開口４した略凹形状の接点保護部５内に設け、接点保護部５に挿脱可能に嵌入する高圧受給端子６付きのスライド突起７が保持ユニット１に着脱自在に嵌着されるフィルタユニット８を設け、フィルタユニット８には高圧受給端子６と接続される放電針９を設けた吸気グリル１０と、放電針９の風下側にアース電極１１と集塵フィルタ１２を設け、吸気グリル１０にはフィルタユニット８を保持ユニット１に着脱するために取手１３を設けている。
【００２０】
また、高圧印加装置２に、フィルタユニット８の引き出し方向に平行に規制リブ１４を設け、規制リブ１４が挿入される溝部１５をフィルタユニット８の略中央部にまで至るように形成し、フィルタユニット８の高圧受給端子６の設けられる反対側端部に凹部１６を設け、凹部１６に弾性係合する係合突部１７を保持ユニット１の高圧印加装置２の設けられる反対側に設け、凹部１６と係合突部１７によりフィルタユニット８の引出し操作時に保持ユニット１に一時的に係止される係止手段１８を形成して構成する。
【００２１】
上記構成において、空気調和機等の空気流路に保持ユニット１を介して取り付けられたフィルタユニット８に空気が流れると、吸気グリル１０に設けた放電針９に高圧受給端子６を介して印加されているマイナスの高電圧とアース電極１１により放電針９の附近に大きな電界が形成され、空気分子中の電子が分離したり、また、分離した電子が別の空気分子に結合するなどして空気分子がイオン化され空気イオンとなり、空気イオンが電界の力によって拡散し粉塵に付着して粉塵を帯電させ、帯電した粉塵粒子は粒子同志の緩衝を防ぎ、アース電極１１の風下側に設けた集塵フィルタ１２に吸着されて集塵される。
【００２２】
そして、集塵が進んだ後、吸着された粉塵を除去するときには、取手１３を介してフィルタユニット８を保持ユニット１より引き出して取り外す。このとき、フィルタユニット８の一方側は高圧印加装置２に接続された弾性を有する高圧供給端子３を内含する前面が開口４した略逆凹形状の接点保護部５に、接点保護部５に挿脱可能に嵌入する高圧受給端子６付きのスライド突起７をフィルタユニット８に設け結合され、フィルタユニット８の他方側は凹部１６を設け、保持ユニット１に設けた係合突部１７と弾性係合して一時的に係止される係止手段１８により結合されていることにより、フィルタユニット８の左右が略同一の結合力で保持されることとなり、フィルタユニット８は取手１３の操作で、フィルタユニット８に設けた溝部１５が保持ユニット１側に設けた規制リブ１４に沿い引き出されて取り外したのち、フィルタユニット８を洗浄水で洗浄し粉塵を除去する。また、集塵フィルタ１２を交換するときにはフィルタユニット８により取り外して交換する。
【００２３】
次に、フィルタユニット８を洗浄または集塵フィルタ１２を交換したフィルタユニット８を保持ユニット１に装着するときには、フィルタユニット８の一方側に設けた受給端子６付きのスライド突起７を、保持ユニット１側に設けた接点保持部５の前面の開口４に係合し、フィルタユニット８を保持ユニット１側に装着するように移動することにより、フィルタユニット８の一方側はフィルタユニット８に設けた溝部１５が保持ユニット１側に設けた規制リブ１４に係合して移動方向に規制されながら、スライド突起７の高圧受給端子６が接点保護部５内で高圧供給端子３と弾性係合して結合され、フィルタユニット８の他方側は、係止手段１８を形成する保持ユニット１側に設けた係合突部１７にフィルタユニット８の凹部１６が弾性係合して結合され、フィルタユニット８は保持ユニット１に装着される。
【００２４】
このように本発明の実施例１の電気集塵ユニットによれば、空気調和機等の空気流路に設けられる横長の保持ユニット１の一端部に高圧印加装置２を設け、高圧印加装置２に接続された高圧供給端子３を内含する前面が開口４した略逆凹形状の接点保護部５を設け、保持ユニット１に装着されるフィルタユニット８を備え、接点保護部５に挿脱可能に嵌入する高圧受給端子６を設けたスライド突起７をフィルタユニット８に設け、保持ユニット１に着脱自在に装着される構成としたことにより、高圧供給端子３が接点保護部５の逆凹形状から外部に突出することがなくなり、高圧供給端子３は接点保護部５で覆われ、高圧供給端子３にほこりが付着することがなくなり、ほこりの付着による接触不良や漏電等を防止することができる。さらに、高圧供給端子３に手指が接触するのが回避され安全性を高めることができ、リミットスイッチ等を設けて高圧を印加する場合と比較して構造が簡単でコストダウンを図ることができる。
【００２５】
また、保持ユニット１または高圧印加装置２に、フィルタユニット８の引出方向に平行に設けられる規制リブ１４と、規制リブ１４が挿入される溝部１５を設けたフィルタユニット８とを備え、フィルタユニット８に設けられる溝部１５をフィルタユニット８の略中央部にまで至るように形成したことにより、フィルタユニット８を保持ユニット１から引き出すときに、保持ユニット１の一端部と高圧印加装置２間を略平行にフィルタユニット８の溝部１５を規制リブ１４に沿わせ途中まで移動することができることとなり、フィルタユニット８はこじれることなく引き出され、こじれて引き出せなくなる現象をなくすことができる。
【００２６】
また、フィルタユニット８の高圧受給端子６の設けられる反対側端部にフィルタユニット８の引き出し操作時に保持ユニット１に一時的に係止される係止手段１８を設けたことにより、保持ユニット１に対するフィルタユニット８の結合力の強い高圧供給端子３側と略同等に結合されることにより、結合力が弱かった保持ユニット１の反高圧印加装置側の結合力が高められ、保持ユニット１の反高圧印加装置側に結合しているフィルタユニット８側が先に外れ、こじれて引き出しにくくなることが防止され、フィルタユニット８の引き出しが容易となる。
【００２７】
なお、実施例１では、規制リブ１４を高圧印加装置２に設けたことで説明をしたが、規制リブ１４を保持ユニット１に設けても同様の作用効果をもたらすことはいうまでもない。
【００２８】
（実施例２）
図６に示すように、フィルタユニット８Ａに設けられる取手１３Ａを高圧受給端子６Ａ側に偏位させた構成とする。
【００２９】
上記構成において、保持ユニット（図示せず）に設けた高圧印加装置に設けた接点保護部内に係合するように、高圧受給端子６Ａを設けたスライド突起７Ａが係合し、高圧受給端子６Ａと接続される高圧供給端子に電気的に接続され結合されていることにより、高圧受給端子６Ａ側は結合力が強くなっていることとなり、フィルタユニット８Ａの中央部に取手１３Ａを設けた場合には結合力の弱い反高圧印加装置側が先に移動し、こじれた状態となるが、フィルタユニット８Ａに設ける取手１３Ａを結合力の強い高圧受給端子６Ａ側に偏位させることにより、取手１３Ａにより引き出す力が高圧受給端子６Ａ側に大きく加わり、先に引き出されるようになり、それに伴い反高圧受給端子側も引き出されこじれることがなくなる。
【００３０】
このように本発明の実施例２の電気集塵ユニットによれば、フィルタユニット８Ａに設けられる取手１３Ａを高圧受給端子６Ａ側に偏位させたことにより、取手１３Ａによる引出力は保持ユニットに対するフィルタユニット８Ａの結合力の強い高圧受給端子６Ａ側に強く加わるようになり、結合力の弱い他方と略同時に引き出され、フィルタユニット８Ａはこじれることなく引き出され、引き出しが容易となる。
【００３１】
【発明の効果】
以上の実施例から明らかなように、本発明によれば空気調和機等の空気流路に設けられる横長の保持ユニットと、この保持ユニットの一端部に設けられる高圧印加装置と、この高圧印加装置に接続された高圧供給端子を内含する前面が開口した略逆凹形状の接点保護部と、前記保持ユニットに装着されるフィルタユニットとを備え、前記接点保護部に挿脱可能に嵌入する高圧受給端子付きのスライド突起を前記フィルタユニットの設け、前記保持ユニットに着脱自在に装着される構成としたので、高圧供給端子にほこりが付着することがなくなり、接触不良や漏電等を生じることが防止でき、また、高圧供給端子に手指が接触するのが回避でき、安全性を高めることができ、また、リミットスイッチ等を設けて高圧を印加する場合と比較して構造が簡単でコストダウンを図ることのできる電気集塵ユニットを提供できる。
【００３２】
また、保持ユニットまたは、高圧印加装置にフィルタユニットの引出方向に平行に設けられる規制リブと、この規制リブが挿入される溝部を設けたフィルタユニットとを備え、前記フィルタユニットに設けられる溝部をフィルタユニットの略中央部にまで至るように形成したので、フィルタユニットがこじれて引き出せないという現象を防止することができる。
【００３３】
また、フィルタユニットの高圧受給端子に設けられる反対側端部に、フィルタユニットの引出し操作時に保持ユニットに一時的に係止される係止手段を設けたので、高圧受給端子の反対側端部の結合力が高まり高圧受給端子側の結合力と略同等となり、フィルタユニットの引出しをこじれることなく行うことができる。
【００３４】
また、フィルタユニットに設けられる取手を高圧受給端子側に偏位させたので、取手による引出力は結合力の強い高圧受給端子側に強く加わり、結合力の弱い他方と略同時に引き出されてフィルタユニットのこじれが防止され、引き出しが容易となる。
【図面の簡単な説明】
【図１】（イ）本発明の実施例１の電気集塵ユニットを一部カットした高圧印加装置の斜視図
（ロ）同フィルタユニットの端部正面図
（ハ）同保持ユニットにフィルタユニットを挿入した状態を示す要部断面図
【図２】同電気集塵ユニットの保持ユニットの正面図
【図３】同電気集塵ユニットの規制リブを示す側面図
【図４】同電気集塵ユニットの係止手段を示す断面図
【図５】同電気集塵ユニットのフィルタユニットを示す正面図
【図６】本発明の実施例２の電気集塵ユニットのフィルタユニットの正面図
【図７】従来の電気空気清浄装置の正面図
【図８】同電気空気清浄装置の側面図
【図９】同電気空気清浄装置のフィルタ本体の斜視図
【符号の説明】
１  保持ユニット
２  高圧印加装置
３  高圧供給端子
４  開口
５  接点保護部
６  高圧受給端子
６Ａ  高圧受給端子
７  スライド突起
８  フィルタユニット
８Ａ  フィルタユニット
１３  取手
１３Ａ  取手
１４  規制リブ
１５  溝部
１８  係止手段
【図１】
2005024189.tif 000003
【図２】
2005024189.tif 000004
【図３】
2005024189.tif 000005
【図４】
2005024189.tif 000006
【図５】
2005024189.tif 000007
【図６】
2005024189.tif 000008
【図７】
2005024189.tif 000009
【図８】
2005024189.tif 000010
【図９】
2005024189.tif 000011